(57)【要約】      （修正有）【課題】異なる寸法、形状のデバイスであっても内ケースを位置決めさせる押圧式ポータブルストレージデバイスを提供する。【解決手段】押圧式ポータブルストレージデバイス１は、外ケース１１、内ケース１２、第一の弾性装置１３、揺動片１４及び第二の弾性装置１５を含む。外ケースは内壁面を有し、内壁面にガイド柱１１１が突設されている。内ケースは第一の方向に沿って摺動可能になるように外ケース内に設置される。第一の弾性装置は第一の方向に沿って伸び、第二の弾性装置は内ケースの上に設置され、且つ揺動片に接続される。揺動片に位置決め摺動溝１４１が設けられ、ガイド柱は位置決め摺動溝に位置し、位置決め摺動溝は内に内向き縮径の位置決め摺動路を有する。内ケースは第一の方向に沿って開口に摺動する場合、位置決め摺動溝の内縁はガイド柱に当接されることによって、揺動片がガイド柱に押されて第二の方向に沿って揺動される。【選択図】図１Ａ
2016184386.tif 000002
【特許請求の範囲】
【請求項１】
開口を有する外ケースと、
第一の端にＵＳＢコネクタが設けられ、第二の端に押圧部が設けられ、前記外ケースに対して移動できるように前記外ケースの中に設置される内ケースと、
前記外ケースと前記内ケースとの間に設置される位置決め構造と、
を含み、
前記位置決め構造は、位置決め摺動溝を有する揺動片と、一端が前記位置決め摺動溝の中に設置されるガイド柱と、を備え、
前記ガイド柱は前記内ケースと前記外ケースの相対位置に伴って移動し、
前記揺動片は前記ガイド柱の移動に伴って揺動することによって前記ガイド柱が前記位置決め摺動溝における位置を変更し、
前記ガイド柱が前記位置決め摺動溝の位置決めエリアに位置する場合、前記位置決め構造は前記外ケースと前記内ケースの相対位置を固定し、且つ前記ＵＳＢコネクタは前記開口を介して前記外ケースに露出されることを特徴とする押圧式ポータブルストレージデバイス。
【請求項２】
前記ガイド柱は前記外ケースに形成され、
前記揺動片は前記内ケースに枢支されることを特徴とする請求項１記載の押圧式ポータブルストレージデバイス。
【請求項３】
前記ガイド柱は前記内ケースに形成され、
前記揺動片は前記外ケースに枢支されることを特徴とする請求項１記載の押圧式ポータブルストレージデバイス。
【請求項４】
前記ガイド柱が前記位置決め摺動溝の初期エリアに位置する場合、前記ＵＳＢコネクタは前記外ケースの中に隠れることを特徴とする請求項１記載の押圧式ポータブルストレージデバイス。
【請求項５】
前記内ケースは第一の方向に沿って前記外ケースに対して移動し、
前記ガイド柱は前記内ケースと前記外ケースの相対位置に伴って前記第一の方向に沿って移動することを特徴とする請求項１記載の押圧式ポータブルストレージデバイス。
【請求項６】
前記ＵＳＢコネクタが前記開口を介して前記外ケースに露出される場合、変形による第一の弾性力を前記内ケースに付与する第一の弾性装置を更に備えることを特徴とする請求項１記載の押圧式ポータブルストレージデバイス。
【請求項７】
前記揺動片に接続されており、前記揺動片に揺動が生じる時、変形による第二の弾性力を前記揺動片に付与する第二の弾性装置を更に備えることを特徴とする請求項６記載の押圧式ポータブルストレージデバイス。
【請求項８】
内壁面を有し、前記内壁面にガイド柱が突設される外ケースと、
第一の方向に沿って摺動可能なように前記外ケース内に設置されており、前記外ケースの開口に対応するＵＳＢコネクタが設けられる内ケースと、
前記第一の方向に沿って伸びる第一の弾性装置と、
前記内ケースの上に枢支されており、内向き縮径の位置決め摺動路を有する位置決め摺動溝を有し、前記ガイド柱が前記位置決め摺動溝に位置される揺動片と、
前記内ケースの上に設置され、且つ前記揺動片に接続される第二の弾性装置と、
を備え、
前記内ケースが前記第一の方向に沿って摺動されることによって、前記ＵＳＢコネクタを前記開口から前記外ケースに露出させる場合、前記第一の弾性装置が変形されることによって第一の弾性力を前記内ケースに付与し、前記位置決め摺動溝の内縁が前記ガイド柱に当接されることによって、前記揺動片が前記ガイド柱によって動かされて初期状態から第二の方向に沿って揺動され、前記第二の弾性装置が変形されることによって第二の弾性力を前記揺動片に付与し、
前記第一の弾性力が前記内ケースを前記外ケース内に戻させるために用いられ、前記第二の弾性力が前記揺動片を前記初期状態に戻させるために用いられることを特徴とする押圧式ポータブルストレージデバイス。
【請求項９】
前記内ケースは、前記内壁面に面すると共に前記揺動片及び前記第二の弾性装置が設置される外壁面を有し、
前記揺動片における前記内壁面に面する表面に前記位置決め摺動溝が設けられることを特徴とする請求項８記載の押圧式ポータブルストレージデバイス。
【請求項１０】
前記内ケースが第一の位置に位置する場合、前記ＵＳＢコネクタが前記外ケース内に隠され、
前記内ケースが第二の位置に摺動される場合、前記ＵＳＢコネクタが前記開口から前記外ケースに伸び出し、
前記内ケースが前記第一の位置に位置する場合、前記揺動片は前記初期状態にあることを特徴とする請求項９記載の押圧式ポータブルストレージデバイス。
【請求項１１】
前記内ケースが前記第二の位置に位置する場合、前記ガイド柱が前記位置決め摺動路に位置決めされることを特徴とする請求項１０記載の押圧式ポータブルストレージデバイス。
【請求項１２】
前記位置決め摺動溝は、前記ＵＳＢコネクタに面する第一の斜路及び前記ＵＳＢコネクタに背を向ける第二の斜路を含み、
前記内向き縮径の位置決め摺動路は前記第一の斜路と前記第二の斜路との間に接続されることを特徴とする請求項９記載の押圧式ポータブルストレージデバイス。
【請求項１３】
前記揺動片に枢軸部が設けられ、前記揺動片は前記枢軸部を介して前記内ケースの前記外壁面に枢支されることを特徴とする請求項１０記載の押圧式ポータブルストレージデバイス。
【請求項１４】
前記第二の弾性装置と前記揺動片は前記第二の方向に沿って並んで設置され、
前記第二の弾性装置の第一の端は前記摺動片の側辺に接続され、前記第二の弾性装置の第二の端は前記外壁面に固定されることを特徴とする請求項９記載の押圧式ポータブルストレージデバイス。
【請求項１５】
前記揺動片の前記側辺に耳部が設けられ、
前記第二の弾性装置の前記第一の端は前記耳部に接続されることを特徴とする請求項１４記載の押圧式ポータブルストレージデバイス。
【請求項１６】
前記耳部には延出方向が前記第一の方向に平行である開溝が設けられ、
前記第二の弾性装置の前記第一の端に折りアームが設けられ、
前記折りアームが前記開溝に設置されることによって、前記第二の弾性装置の前記第一の端は前記開溝に沿って摺動可能になるように前記耳部に接続されることを特徴とする請求項１５記載の押圧式ポータブルストレージデバイス。
【請求項１７】
前記内ケースの前記外壁面に収容部が更に設けられ、
前記揺動片及び前記第二の弾性装置は前記収容部に収容されることを特徴とする請求項１６記載の押圧式ポータブルストレージデバイス。
【請求項１８】
前記内ケースの前記外壁面における前記揺動片の前記側辺に近い箇所にストッパーが突設され、
前記ストッパーは前記収容部に収容され、
前記第二の弾性装置の前記第二の端は前記ストッパーと前記収容部の内壁との間に挟まれることによって、前記第二の弾性装置の前記第二の端を前記内ケースの前記外壁面の上に固定させることを特徴とする請求項１７記載の押圧式ポータブルストレージデバイス。
【請求項１９】
前記揺動片には、前記外壁面の方向に向けて伸びる位置決め部が更に設けられ、
前記内ケースの前記外壁面における前記揺動片と対応する箇所に弧状のガイド溝が設けられ、
前記位置決め部は、前記弧状のガイド溝に位置しており、前記揺動片が揺動される時、前記弧状のガイド溝に沿って摺動し、
前記弧状のガイド溝の径方向と前記揺動片が揺動される径方向とは同じであることを特徴とする請求項９記載の押圧式ポータブルストレージデバイス。
【請求項２０】
前記第一の弾性装置はばねであり、前記第一の弾性装置は前記外ケース内に位置し、且つ前記ＵＳＢコネクタの上に被られ、
前記第二の弾性装置は、ねじりばね、または、ガイド針であることを特徴とする請求項８記載の押圧式ポータブルストレージデバイス。
【発明の詳細な説明】
【技術分野】
【０００１】
本発明は、ポータブルストレージデバイスに関し、特に押圧式ポータブルストレージデバイスに関する。
【背景技術】
【０００２】
ポータブルストレージデバイスは広くエレクトロニクスの分野で使用され、データのアクセスが可能になるように携帯電話、タブレット、ポータブルハードディスク、マウス、キーボード等の様々な電子製品に接続され、様々な電子製品との間においてデータを転送するための媒体として使用されていた。
【０００３】
市販されている押圧式ポータブルストレージデバイスは、普通、外ケースと、外ケースに対して相対的に移動可能であり且つ外ケース内部に設置される内ケースと、外ケースと内ケースとの間に設置されたばね及び振り子ばねとを含む。外ケースの内表面に摺動路が設置され、振り子ばねの一端は内ケースの外表面に固定され、振り子ばねの他端に折りアームが設置され、折りアームは外ケースの摺動路に位置する。ばねと振り子ばねの共同作用によって、内ケースのＵＳＢ（Ｕｎｉｖｅｒｓａｌ  Ｓｅｒｉａｌ  Ｂｕｓ）コネクタは外ケースから伸び出る状態と外ケースに戻る状態との間に変化できる。
【０００４】
しかしながら、このような押圧式ポータブルストレージデバイスにおける各部品の寸法は内ケース及び外ケースの寸法の少なくとも一つに合わせて設計する必要がある。例えば、異なる寸法、形状の製品について、押圧式ポータブルストレージデバイスの量産過程において、押圧式ポータブルストレージデバイスの各部品の相対距離等を考えた上、一から設計し、型を作り、そして一から振り子ばねと外ケースを製造する必要がある。そうすることによって、振り子ばねを外ケースの摺動路に合わせることは可能になり、且つ振り子ばねが変形によって十分な作用力を生じることによって、内ケースを位置決めさせる。
【０００５】
従って、上記問題点を解消できると共に、押圧式ポータブルストレージデバイスが共用可能な標準化部品を備えることが可能になり、製造工程が簡単になることによってより大量生産に適させることになり、コストを低減させる押圧式ポータブルストレージデバイスを提供する必要がある。
【発明の概要】
【発明が解決しようとする課題】
【０００６】
本発明は、上記従来技術における欠点を解決できる押圧式ポータブルストレージデバイスを提供する。
【課題を解決するための手段】
【０００７】
押圧式ポータブルストレージデバイスは、外ケースと、内ケースと、第一の弾性装置と、揺動片と、第二の弾性装置とを含む。前記外ケースは内壁面を有し、前記内壁面にガイド柱が突設されている。前記内ケースは第一の方向に沿って摺動可能になるように前記外ケース内に設置される。前記内ケースにＵＳＢコネクタが設置され、且つ前記外ケースに前記ＵＳＢコネクタに対応する開口が設置される。前記揺動片は前記内ケースの上に枢支される。前記第一の弾性装置は前記第一の方向に沿って伸び、前記第二の弾性装置は前記内ケースの上に設置され、且つ前記揺動片に接続される。
【０００８】
前記内ケースが前記第一の方向に沿って摺動し、前記ＵＳＢコネクタを前記開口から前記外ケースの外に露出させる場合、前記第一の弾性装置は変形されることによって前記内ケースに第一の弾性力を付与し、前記位置決め摺動溝の内縁が前記ガイド柱に当接されることによって、前記揺動片が前記ガイド柱によって押され、初期状態から第二の方向に沿って揺動し、且つ前記第二の弾性装置は変形されることによって前記揺動片に第二の弾性力を付与する。前記第一の弾性力は前記内ケースを前記外ケース内に戻させるために用いられ、前記第二の弾性力は前記揺動片を前記初期状態に戻させるために用いられる。
【０００９】
また、本発明に係る実施例はさらに別の押圧式ポータブルストレージデバイスを提供しており、前記押圧式ポータブルストレージデバイスは外ケースと、内ケースと、位置決め構造とを含む。前記外ケースは開口を有し、前記内ケースの第一の端にＵＳＢコネクタが設置され、前記内ケースの第二の端に押圧部が設置される。前記内ケースは外ケースの中に設置され、且つ前記外ケースに対して移動できる。前記位置決め構造は前記外ケースと前記内ケースとの間に設置される。前記位置決め構造は揺動片とガイド柱を備え、前記揺動片は位置決め摺動溝を有し、前記ガイド柱の一端が前記位置決め摺動溝に設置される。前記ガイド柱は前記内ケースと前記外ケースの相対位置に伴って移動し、前記揺動片は前記ガイド柱の移動に伴って揺動することによって前記ガイド柱が前記位置決め摺動溝における位置を変更する。前記ガイド柱が前記位置決め摺動溝の位置決めエリアに位置する場合、前記位置決め構造は前記外ケースと前記内ケースの相対位置を固定し、且つ前記ＵＳＢコネクタは前記開口を介して前記外ケースに露出される。
【発明の効果】
【００１０】
本発明によれば、本実施形態によって提供された前記押圧式ポータブルストレージデバイスは、揺動片と第一の弾性装置及び第二の弾性装置とを結合させることによる共同作用によって、内ケースのＵＳＢコネクタを隠れ状態と露出状態との間にループして変化できるようにする。また、揺動片及び第二の弾性装置の少なくとも一つは前記押圧式ポータブルストレージデバイスの標準化部品の一つとして統一的に製造生産できることによって、前記押圧式ポータブルストレージデバイスのコストを低減できる。
【図面の簡単な説明】
【００１１】
【図１Ａ】本発明の実施例に係る押圧式ポータブルストレージデバイスの分解図。
【図１Ｂ】本発明の実施例に係る押圧式ポータブルストレージデバイスの分解図。
【図２Ａ】図１Ａにおける押圧式ポータブルストレージデバイスの初期時状態を示す斜視図。
【図２Ｂ】図１Ａにおける押圧式ポータブルストレージデバイスの使用時状態を示す斜視図。
【図３Ａ】図１Ａにおける押圧式ポータブルストレージデバイスの作動を示す図である。
【図３Ｂ】図１Ａにおける押圧式ポータブルストレージデバイスの作動を示す図である。
【図３Ｃ】図１Ａにおける押圧式ポータブルストレージデバイスの作動を示す図である。
【図３Ｄ】図１Ａにおける押圧式ポータブルストレージデバイスの作動を示す図である。
【図３Ｅ】図１Ａにおける押圧式ポータブルストレージデバイスの作動を示す図である。
【発明を実施するための形態】
【００１２】
図１Ａ及び図１Ｂを用いて説明する。図１Ａ及び図１Ｂは本発明の実施例に係る押圧式ポータブルストレージデバイスの分解図である。本発明の実施例に係る押圧式ポータブルストレージデバイス１は、外ケース１１と、外ケース１１内に設置され、外ケース１１に対して相対的に移動できる内ケース１２と、外ケース１１と内ケース１２との間に位置する第一の弾性装置１３と、内ケース１２の外壁面Ｓ２に枢支された揺動片１４と、内ケース１２の前記外壁面Ｓ２に設置され且つ揺動片１４に接続される第二の弾性装置１５とを含む。
【００１３】
上記のように、ＵＳＢ（Ｕｎｉｖｅｒｓａｌ  Ｓｅｒｉａｌ  Ｂｕｓ）コネクタが内ケース１２に設置され、且つＵＳＢコネクタ１２１に対応する開口１１２が外ケース１１に設置される。本実施形態では、ＵＳＢコネクタ１２１はさらに内ケース１２内に収容された回路板（図示せず）と電気接続されており、前記回路板にチップ等の電子素子が設置されていることによって、押圧式ポータブルストレージデバイス１の電気機能を実現する。ＵＳＢコネクタ１２１を介し、押圧式ポータブルストレージデバイス１はパソコン等の電子製品との電子信号転送を実現し、電子テータを記憶する。
【００１４】
図２Ａ及び図２Ｂを用いて説明する。図２Ａは図１Ａにおける押圧式ポータブルストレージデバイスの初期時状態を示す斜視図である。図２Ｂは図１Ａにおける押圧式ポータブルストレージデバイスの使用時状態を示す斜視図である。初期時の押圧式ポータブルストレージデバイス１では、内ケース１２が第一の位置にあり、且つ、ＵＳＢコネクタ１２１が外ケース１１内に隠されている。この場合、ＵＳＢコネクタ１２１は隠れ状態にある。使用時、押された内ケース１２が開口１１２の方向に向いて外ケース１１に対して第二の位置に滑り、ＵＳＢコネクタ１２１を開口１１２から外ケース１１に露出させる。この場合、ＵＳＢコネクタ１２１は露出状態にある。また、第一の弾性装置１３及び第二の弾性装置１５と揺動片１４による共同作用によって、内ケース１２のＵＳＢコネクタ１２１が前記隠れ状態と前記露出状態との間にループして変化する。
【００１５】
以下、本実施例に係る押圧式ポータブルストレージデバイス１の各部品について詳しく説明する。
【００１６】
図１Ａ及び図１Ｂを用いて説明する。管状の外ケース１１は閉鎖できるように内ケース１２、第一の弾性装置１３、第二の弾性装置１５、及び揺動片１４を収容する略直方体状のキャビティを形成する。また、前記キャビティは移動空間を提供し、内ケース１２が前記移動空間において第一の方向に沿って外ケース１１に対して往復摺動する。外ケース１１は内壁面Ｓ１を有する。内壁面Ｓ１は内ケース１２の外壁面Ｓ２に面しており、且つガイド柱１１１が内壁面Ｓ１に突設されている。ガイド柱１１１は例えば第三方向（図面におけるＺ軸方向）に沿って内壁面Ｓ１の方向に突出して延びる。本実施例では、外ケース１１は、例えば、複数枚の板部材を組み合わせることによって形成されるケースであってもよく、略管状の外ケース１１の両端のそれぞれには開口１１２、１１３が設置される。
【００１７】
図１Ａと図１Ｂを用いて説明する。内ケース１２は囲むことによって閉鎖可能な略直方体状のキャビティを形成し、キャビティは回路基板（図示せず）を収容する。収容部１２２が内ケース１２の外壁面Ｓ２に設置され、揺動片１４及び第二の弾性装置１５を収容する。そのため、揺動片１４及び第二の弾性装置１５によって余分な空間が使用されることがない。内ケース１２はさらに外ケース１１の外部に露出された押圧部１２４を備える。具体的には、押圧部１２４とＵＳＢコネクタ１２１はそれぞれ内ケース１２の両端に位置し、押圧部１２４は外ケース１１の開口１１３から外ケース１１の外部に向かって突出して延びる。使用者は手を使って外ケース１１を握って、親指で内ケース１２の押圧部１２４を押して内ケース１２を動かすことによって、内ケース１２を開口１１２の方向に向かって外ケース１１に対して摺動させる。上記のように、内ケース１２は第一の位置にある場合、ＵＳＢコネクタ１２１が外ケース１１内に隠され、内ケース１２は第二の位置にある場合、ＵＳＢコネクタ１２１が開口１１２から外ケース１１外に突出する。
【００１８】
図１Ａと図１Ｂを用いて説明する。第一の弾性装置１３は前記第一の方向（例えば図面におけるＸ軸方向）に沿って伸び、内ケース１２に第一の弾性力を付与し、内ケース１２が前記第二の位置から前記第一の位置に摺動させるように駆動する。即ち、押された内ケース１２が前記第一の位置から前記第二の位置に摺動された場合、変形した第一の弾性装置１３はずっと内ケース１２を前記第一の位置に戻せようとする第一の弾性力を内ケース１２に加え続ける。本実施例において、第一の弾性装置１３は例えば、ばねである。第一の弾性装置１３は例えば外ケース１１内に位置し、ＵＳＢコネクタ１２１に被せられる。図面に示した設置方法では、外ケース１１と内ケース１２をそのまま第一の弾性装置１３の両端の支持として利用し、且つ第一の弾性装置１３がＵＳＢコネクタ１２１周りの未使用空間に位置するため、余計に空間を使用することが生じない。
【００１９】
図１Ａと図１Ｂを用いて説明する。揺動片１４は枢軸部１４３を備えており、枢軸部１４３によって回動可能になるように外壁面Ｓ２の固定孔１２６に設置されることによって、揺動片１４が第二の方向（図面に示されたＹ軸方向）に沿って揺動するようになる。揺動片１４は表面Ｓ３を備えており、表面Ｓ３は外ケース１１の内壁面Ｓ１に面している。揺動片１４の前記表面Ｓ３に位置決め摺動溝１４１が設置され、外ケース１１のガイド柱１１１は位置決め摺動溝１４１に位置する。揺動片１４は内ケース１２に伴って前記第一の方向（図面に示されたＸ軸方向）に沿って摺動する場合、位置決め摺動溝１４１の内縁はガイド柱１１１に当接でき、揺動片１４がガイド柱１１１に押されて前記第二の方向（図面に示されたＹ軸方向）に沿って揺動するようになる。
【００２０】
上記のように、具体的には、位置決め摺動溝１４１は、ＵＳＢコネクタ１２１に面する第一の斜路１４１１と、ＵＳＢコネクタ１２１に背を向ける第二の斜路１４１２と、内向き縮径の位置決め摺動路１４１３とを備え、位置決め摺動路１４１３は第一の斜路１４１１と第二の斜路１４１２との間に接続されている。本実施形態において、位置決め摺動溝１４１は頭端と頭端に相対する尾端とを備え、位置決め摺動溝１４１の前記尾端は前記頭端よりもＵＳＢコネクタ１２１に近い。位置決め摺動溝１４１は例えばハート状であり、位置決め摺動溝１４１の一側は第一の斜路１４１１であり、位置決め摺動溝１４１の他側は第二の斜路１４１２であり、内向き縮径の位置決め摺動路１４１３は位置決め摺動溝１４１の前記頭端に位置する。
【００２１】
上記のように、揺動片１４の表面Ｓ３にさらに直線状の摺動溝が設置される。直線状の摺動溝１４２は位置決め摺動溝１４１の前記尾端に位置し、直線状の摺動溝１４２と位置決め摺動溝１４１は互いに通じている。
【００２２】
図１Ａと図１Ｂを用いて説明する。第二の弾性装置１５は外壁面Ｓ２に設置され且つ揺動片１４に接続される。第二の弾性装置１５は揺動片１４に第二の弾性力を付与し、揺動片１４を初期状態に揺動させる。具体的は、第二の弾性装置１５は例えば枢軸部１４３に設置されたねじりばねであり、あるいは第二の弾性装置１５は例えば揺動片１４の一側のガイド針である。初期時、また揺動件に揺動は発生しておらず、この場合、揺動件は初期状態にある。前記初期状態からずれるように、揺動片１４は前記第二の方向（例えば図面に示されたＹ軸方向）に沿って揺動する場合、変形された第二の弾性装置１５はずっと揺動片１４に揺動片１４を前記初期状態に戻せようとする第二の弾性力を加え続ける。本実施形態において、第二の弾性装置１５はさらに第一の端１５１と、第二の端１５２と、前記第一の端１５１と前記第二の端１５２との間に接続された本体段１５３を備え、第二の弾性装置１５と揺動片１４は前記第二の方向（例えば図面におけるＹ軸方向）に沿って並んで設置される。
【００２３】
上記のように、第二の弾性装置１５の第一の端１５１は揺動片１４の側辺に接続される。具体的には、揺動片１４の前記側辺は耳部１４４を備え、耳部１４４に開溝１４５が設置される。揺動片１４は前記初期状態にある場合、開溝１４５の延出方向は前記第一の方向（例えば図面におけるＸ軸方向）に略平行である。第二の弾性装置１５の第一の端１５１に折りアーム１５４が設置され、折りアーム１５４は開溝１４５に位置することによって、第二の弾性装置１５の第一の端１５１は開溝１４５に沿って摺動可能なように耳部１４４に接続される。揺動片１４の前記側辺は位置決め摺動溝１４１の第二の斜路１４１２に隣接する。即ち、位置決め摺動溝１４１の第二の斜路１４１２は位置決め摺動溝１４１の第一の斜路１４１１に対し、より第二の弾性装置１５に近づいている。
【００２４】
上記のように、第二の弾性装置１５の第二の端１５２は内ケース１２の外壁面Ｓ２に設置される。具体的は、内ケース１２の外壁面Ｓ２は揺動片１４の前記側辺に近い箇所にストッパー１２５が突設され、ストッパー１２５は収容部１２２に収容される。また、ストッパー１２５は揺動片１４の周りのフリー空間に位置するため、余分な空間を使用することがない。第二の弾性装置１５の第二の端１５２は例えば略コ字状の形を備え、第二の弾性装置１５の第二の端１５２は、ストッパー１２５と収容部１２２の内壁Ｗ１、Ｗ２（図３Ａ）との間に挟まれて設置されることによって、第二の弾性装置１５の第二の端１５２を内ケース１２の外壁面Ｓ２に固定させる。
【００２５】
上記のように、揺動片１４の揺動をもっと安定させるため、揺動片１４にさらに位置決め部１４６が設置され、内ケース１２の外壁面Ｓ２における揺動片１４と対応する箇所にさらに弧状のガイド溝１２３が設置される。位置決め部１４６は前記第三方向（例えば図面におけるＺ軸方向）に沿って外壁面Ｓ２の方向に向けて伸び、位置決め部１４６は弧状のガイド溝１２３に位置する。揺動片１４が揺動されている場合、位置決め部１４６は弧状のガイド溝１２３に沿って摺動できる。本実施形態において、弧状のガイド溝１２３の径方向と前記揺動片１４の揺動の径方向とは略同じである。
【００２６】
上記のように、第一の弾性装置１３と、第二の弾性装置１５と、揺動片１４との共同作用によって、内ケース１２は前記第一の位置と前記第二の位置との間に摺動でき、内ケース１２のＵＳＢコネクタ１２１を前記隠れ状態と前記露出状態との間に変化させる。図３Ａ乃至図３Ｅを用いて説明する。図３Ａ乃至図３Ｅは図１Ａにおける押圧式ポータブルストレージデバイスの作動を示す図である。以下では、図面に合わせて、本実施例の押圧式ポータブルストレージデバイス１の作動を詳しく説明する。
【００２７】
図３Ａに示されたように、初期時、内ケース１２は前記第一の位置に位置し、内ケース１２のＵＳＢコネクタ１２１は外ケース１１内に隠され、揺動件には揺動がまた発生しておらず、この場合、揺動件は前記初期状態にある。また、ガイド柱１１１は例えば位置決め摺動溝１４１における初期位置（例えば図面に示された点Ｏ）に位置する。
【００２８】
特に説明すべきことは、揺動片１４の位置決め摺動溝１４１（と直線状の摺動溝１４２）は、押圧式ポータブルストレージデバイス１のＵＳＢコネクタ１２１が第一の弾性装置１３と、第二の弾性装置１５と、揺動片１４との共同作用の基に上記動作プロセスを実現できるように、合理的に設計されたものである。具体的は、図３Ａに示されたように、第一の斜路１４１１は起点（例えば図面に示された点Ａ）及び前記起点に対する終点（例えば図面に示された点Ｂ）を備え、第一の斜路１４１１は前記終点（例えば図面に示された点Ｂ）を介して位置決め摺動路１４１３に接続する。第二の斜路１４１２は起点（例えば図面に示された点Ｄ）及び前記起点に対する終点（例えば図面に示された点Ａ）を備え、第二の斜路１４１２は前記起点（例えば図面に示された点Ｄ）を介して位置決め摺動路１４１３に接続し、第二の斜路１４１２の前記終点（例えば図面に示された点Ａ）は実質的に第一の斜路１４１１の前記起点である。第二の斜路１４１２の前記起点（例えば図面に示された点Ｄ）と枢軸部１４３は同じ参考直線Ｌ１に位置し、揺動片１４はまた前記初期状態にある場合、前記共同参考直線Ｌ１は前記第一の方向（例えば図面におけるＸ軸方向）に平行である。
【００２９】
上記のように、揺動片１４は前記初期状態にある場合、直線状の摺動溝１４２の延出方向は前記第一の方向（例えば図面におけるＸ軸方向）に平行である。ここで、初期時、ガイド柱１１１は直線状の摺動溝１４２に位置する。従って、内ケース１２の前記第一の方向の摺動距離を増加させ、内ケース１２の摺動をより安定させるために、直線状の摺動溝１４２を用いることが可能である。本実施形態において、直線状の摺動溝１４２は第一の斜路１４１１に接続し、揺動片１４は前記初期状態にある場合、直線状の摺動溝１４２は前記共同参考直線Ｌ１に位置することが可能である。また、揺動片１４は前記初期状態にある場合、第二の弾性装置１５の本体段１５３とストッパー１２５との間に隙間Ｇ１が備える。従って、前記隙間Ｇ１によって、ストッパー１２５が揺動片１４または第二の弾性装置１５の作動を邪魔することが回避できる。
【００３０】
使用時、図３Ｂに示されたように、使用者は内ケース１２の押圧部１２４を押すことによって内ケース１２を動かし、ＵＳＢコネクタ１２１を外ケース１１から延ばす。その過程において、内ケース１２の摺動によって第一の弾性装置１３は変形し続け（例えば圧縮変形）、変形された第一の弾性装置１３は内ケース１２を前記第一の位置に戻る第一の弾性力を内ケース１２に加え続ける。また、動かされた内ケース１２に伴って前記第一の方向に沿って移動する揺動片１４は、第一の斜路１４１１の内縁で外ケース１１のガイド柱１１１に当接する。すると、揺動片１４がガイド柱１１１によって押され、前記第二の方向且つストッパー１２５から離れる方向に沿って揺動でき、従って、第二の弾性装置１５は変形し続け、変形された第二の弾性装置１５は揺動片１４を前記初期状態に戻る第二の弾性力を揺動片１４に加え続ける。その過程において、相対的に、ガイド柱１１１は先ず直線状の摺動溝１４２に沿って第一の斜路１４１１に“移動”し、そして第一の斜路１４１１に沿って第一の斜路１４１１の終点（例えば図面に示された点Ｂ）に“移動”する。
【００３１】
そして、図３Ｃに示されたように、使用者は押すことを止め、第一の弾性力の作用によって、内ケース１２は前記第一の方向且つ開口１１２から離れる方向に沿って所定距離を移動し、揺動件も内ケース１２に併せて移動する。同時に、第二の弾性力の作用によって、揺動片１４は前記第二の方向且つストッパー１２５に向ける方向に沿って揺動する。上記過程において、相対的に、ガイド柱１１１は内側に凹んだ位置決め摺動路１４１３に沿って位置決め点（例えば図面に示された点Ｃ）に“移動”する。この場合、前記第一の弾性力と前記第二の弾性力の作用によって、揺動片１４とガイド柱１１１の間の相対的な変位は内側に凹んだ位置決め摺動路１４１３によって阻まれる。すると、揺動片１４は触発されて位置決め作用を発生し、揺動片１４がそれ以上ストッパー１２５の方向に向けて揺動することができなくなり、揺動片１４と内ケース１２もそれ以上前記第一の方向且つ開口１１２から離れる方向に沿って移動することができなくなる。前記位置決め作用の基に、内ケース１２と外ケース１１との相対位置は変化しないように保持される。即ち、内ケース１２は前記第二の位置から変化しないように保持され、ＵＳＢコネクタ１２１は前記露出状態のまま変化しないように保持される。
【００３２】
不使用の場合、図３Ｄに示されたように、使用者は再び内ケース１２の押圧部１２４を押すことによって内ケース１２を動かせる。揺動片１４は動かされた内ケース１２に伴って、前記第一の方向且つ開口１１２に向ける方向に沿って移動し、揺動片１４の位置決め摺動路１４１３をガイド柱１１１から離させる。すると、揺動片１４はそれ以上位置決め作用を発生しないようになる。同時に、前記第二の弾性力の作用によって、揺動片１４は前記第二の方向且つストッパー１２５に向ける方向に沿って揺動し続けることは可能になり、一時的に前記初期状態に戻る。上記過程において、ガイド柱１１１は位置決め点（例えば図面に示された点Ｃ）から第二の斜路１４１２の起点（例えば図面に示された点Ｄ）までに相対的に“移動”する。
【００３３】
そして、図３Ｅに示されたように、第一の弾性力の作用によって、揺動片１４は内ケース１２と共に前記第一の方向且つ開口１１２から離れる方向に沿って移動する。また、動かされた内ケース１２に伴って前記第一の方向に沿って移動する揺動片１４は、第二の斜路１４１２の内縁で外ケース１１のガイド柱１１１に当接する。すると、揺動片１４がガイド柱１１１によって押され、前記第二の方向且つストッパー１２５から離れる方向に沿って揺動でき、再び第二の弾性装置１５に変形を発生させ、変形された第二の弾性装置１５は揺動片１４を前記初期状態に戻る第二の弾性力を揺動片１４に加え続ける。その過程において、ガイド柱１１１は第二の斜路１４１２の起点（例えば図面に示された点Ｄ）から第二の斜路１４１２の終点（例えば図面に示された点Ａ）に相対的に“移動”する。
【００３４】
再び図３Ａを用いて説明する。そして、第一の弾性力の作用によって、内ケース１２は初期時の前記第一の位置に戻り、ＵＳＢコネクタ１２１は再び前記隠れ状態に入る。揺動片１４は内ケース１２と共に前記第一の方向かつ開口１１２から離れる方向に沿って移動する。同時に、前記第二の弾性力の作用によって、揺動片１４は前記第二の方向かつストッパー１２５から離れる方向に沿って揺動することによって、前記初期状態に戻る。その過程において、ガイド柱１１１は第二の斜路１４１２の終点（例えば図面に示された点Ａ）から初期位置（例えば図面に示された点Ｏ）に相対的に“移動”する。
【００３５】
特別に説明すべきことは、内ケース１２が前記第一の位置と前記第二の位置との間に摺動させることによって、内ケース１２のＵＳＢコネクタ１２１を前記隠れ状態と前記露出状態との間に変化させている場合、揺動片１４と、第一の弾性装置１３と、第二の弾性装置１５との動作プロセスにおいて、外ケース１１のガイド柱１１１は静止不動のままである。一方に、内ケース１２に枢支された揺動片１４は内ケース１２と共に前記第一の方向に沿って摺動し、かつ揺動片１４がガイド柱１１１によって押されることによって前記第二の方向に沿って揺動でき、従ってガイド柱１１１の位置決め摺動溝１４１においての相対位置は前記のように変化する。即ち、前記のガイド柱１１１の“移動”に関する記載は、あくまでも揺動片１４の動作プロセスを説明するための方便のためのものであり、実際、ガイド柱１１１と外ケース１１は互いに相対的に移動していない。
【００３６】
再び図１Ａと図１Ｂを用いて説明する。結論から言うと、本発明に係る実施例によって提供押圧式ポータブルストレージデバイス１は、外ケース１１と、内ケース１２と、第一の弾性装置１３と、揺動片１４と、第二の弾性装置１５とを備える。外ケース１１に内壁面Ｓ１が設置され、内壁面Ｓ１にガイド柱１１１が突設される。内ケース１２が第一の方向に沿って摺動可能なように外ケース１１内に設置される。内ケース１２にＵＳＢコネクタ１２１が設置され、且つ外ケース１１にＵＳＢコネクタ１２１に対応する開口１１２が設置される。揺動片１４が内ケース１２に枢支され、揺動片１４に位置決め摺動溝１４１が設置される。ガイド柱１１１が位置決め摺動溝１４１に位置し、且つ内向き縮径の位置決め摺動路１４１３が位置決め摺動溝１４１に設置される。第一の弾性装置１３は前記第一の方向に沿って伸び、第二の弾性装置１５が内ケース１２に設置され且つ揺動片１４に接続される。
【００３７】
内ケース１２が前記第一の方向に沿って摺動し、ＵＳＢコネクタ１２１を開口１１２から外ケース１１の外に露出させる場合、第一の弾性装置１３は変形されることによって内ケース１２に第一の弾性力を付与し、位置決め摺動溝１４１の内縁がガイド柱１１１に当接されることによって、揺動片１４がガイド柱１１１によって押され、初期状態から第二の方向に沿って揺動し、且つ第二の弾性装置１５は変形されることによって揺動片１４に第二の弾性力を付与する。前記第一の弾性力は内ケース１２を外ケース１１内に戻させるために用いられ、前記第二の弾性力は揺動片１４を前記初期状態に戻させるために用いられる。
【００３８】
上記のように、本発明の実施例によって提供される押圧式ポータブルストレージデバイス１は、揺動片１４を第一の弾性装置１３と第二の弾性装置１５とを組み合わせた共同作用を利用し、内ケース１２のＵＳＢコネクタ１２１を前記隠れ状態と前記露出状態との間にループして変化させ、且つ揺動片１４が触発されて位置決め作用を生じている場合に内ケース１２のＵＳＢコネクタ１２１が前記露出状態から変化しないように維持させる。
【００３９】
また、揺動片１４及び第二の弾性装置１５の少なくとも一つは前記押圧式ポータブルストレージデバイス１の標準化部品の一つとして統一的に製造生産されることによって、利用率を高める。従って、異なる寸法、形状の押圧式ポータブルストレージデバイス１はこれらの標準化された寸法を備えた揺動片１４及び第二の弾性装置１５の少なくとも一つを共用することによってコストを低減させる。
【００４０】
特別に説明すべきことは、上記実施例において、ガイド柱１１１は外ケース１１に形成され、揺動片１４が内ケース１２に枢支されているが、本発明はこれに限定されない。例えば、他の実施例では、ガイド柱１１１が内ケース１２に形成され、揺動片１４が外ケース１１に枢支されてもよい。具体的には、ガイド柱１１１が内ケース１２の外壁面Ｓ２に形成され、揺動片１４が外ケース１１の内壁面Ｓ１に枢支されでもよく、位置決め摺動溝１４１が揺動片１４の外壁面Ｓ２に面する表面に設置されてもよい。また、第二の弾性装置１５が内壁面Ｓ１に設置されてもよい。この実施例における押圧式ポータブルストレージデバイス１の各部品の相対位置、連結関係及び動作のいずれも、前記実施例と類似しているため、説明を省略する。
【００４１】
まとめて言うと、本発明に係る実施例によって提供された押圧式ポータブルストレージデバイスは、外ケースと、内ケースと、位置決め構造とを備える。前記外ケースが開口を備え、前記内ケースの第一の端にＵＳＢコネクタが設置され、前記内ケースの第二の端に押圧部が設置される。前記内ケースは前記外ケースに設置され、且つ前記外ケースに対して相対的に移動できる。前記位置決め構造は前記外ケースと前記内ケースとの間に設置される。前記位置決め構造は揺動片とガイド柱を備え、前記揺動片は位置決め摺動溝を備え、前記ガイド柱の一端は前記位置決め摺動溝に設置される。前記ガイド柱は前記内ケースと前記外ケースの相対位置に伴って移動し、前記揺動片は前記ガイド柱の移動に伴って揺動することによって、前記ガイド柱が前記位置決め摺動溝における位置が変化される。前記ガイド柱は前記位置決め摺動溝の位置決めエリア（例えば前記実施例の前記位置決め摺動路）に位置する場合、前記位置決め構造が前記外ケースと前記内ケースの相対位置を固定し、且つ前記ＵＳＢコネクタが前記開口を介して前記外ケースから露出される。
【００４２】
異なる製品によると、前記ガイド柱は例えば前記外ケースに形成され、前記揺動片は例えば前記内ケースに枢支される。あるいは、前記ガイド柱は前記内ケースに形成されてもよく、前記揺動片は例えば前記外ケースに枢支されてもよい。また、前記ガイド柱は前記位置決め摺動溝の初期エリア（例えば前記実施例における前記直線状の摺動溝）に位置する場合、前記ＵＳＢコネクタは前記外ケースの中に隠れる。さらに、前記内ケースは第一の方向（例えば前記実施例における前記Ｘ軸方向）に沿って前記外ケースに対して移動し、前記ガイド柱は前記内ケースと前記外ケースの相対位置に伴って前記第一の方向に沿って移動する。
【００４３】
特筆すべきことは、本発明に係る実施例によって提供された前記外ケース、前記内ケース及び前記位置決め構造は、押圧式ポータブルストレージデバイスのみ応用できると限定されない。例えば、前記位置決め構造はパソコンのディスクイジェクト構造または他の電子製品に応用することも可能である。
【００４４】
以上は本発明の実施例に過ぎず、本発明の特許請求の範囲を限定するものではない。当業者による本発明の主旨と範囲を逸脱しない前提でなされた等価の技術的変更は、いずれも本発明の範囲に含まれる。
【符号の説明】
【００４５】
１  押圧式ポータブルストレージデバイス
１１  外ケース
Ｓ１  外ケースの内壁面
１１１  ガイド柱
１１２、１１３  開口
１２  内ケース
Ｓ２  内ケースの外壁面
１２１  ＵＳＢコネクタ
１２２  収容部
Ｗ１、Ｗ２  収容部の内壁
１２３  弧状のガイド溝
１２４  押圧部
１２５  ストッパー
１２６  固定孔
１３  第一の弾性装置
１４  揺動片
Ｓ３  揺動片の表面
１４１  位置決め摺動溝
１４１１  第一の斜路
１４１２  第二の斜路
１４１３  位置決め摺動路
１４２  直線状の摺動溝
１４３  枢軸部
１４４  耳部
１４５  開溝
１４６  位置決め部
１５  第二の弾性装置
１５１  第二の弾性装置の第一の端
１５２  第二の弾性装置の第二の端
１５３  本体段
１５４  折りアーム
Ａ、Ｂ、Ｃ、Ｄ、Ｏ  点
Ｌ１  共同参考直線
Ｇ１  隙間
Ｘ  Ｘ軸
Ｙ  Ｙ軸
Ｚ  Ｚ軸
【図１Ａ】
2016184386.tif 000003
【図１Ｂ】
2016184386.tif 000004
【図２Ａ】
2016184386.tif 000005
【図２Ｂ】
2016184386.tif 000006
【図３Ａ】
2016184386.tif 000007
【図３Ｂ】
2016184386.tif 000008
【図３Ｃ】
2016184386.tif 000009
【図３Ｄ】
2016184386.tif 000010
【図３Ｅ】
2016184386.tif 000011